(57)【要約】【課題】各家屋に個別に導入されているホームセキュリティシステムと、各ホームセキュリティシステムと管理センタとを接続するネットワークを有効に利用する技術を提供することを課題とする。【解決手段】各家屋１０に導入されているホームセキュリティシステム２０は、ネットワーク５を介して管理センタ３１に接続されている。各システム２０は、メインコントローラ２１やサブコントローラ２２を備えている。各コントローラ２１，２２はマイクおよび操作部を備えており、マイクから入力された音声あるいは操作部から入力された文字メッセージがネットワーク５を介して他の家屋１０のシステム２０に送信される。音声あるいは文字メッセージを受信したシステム２０では、コントローラ２１，２２が備えるスピーカから音声メッセージが再生される。あるいは、表示部に文字メッセージが表示される。【選択図】図２
2007264912.tif 000002
【特許請求の範囲】
【請求項１】
第１の家屋に導入されている第１ホームセキュリティシステムと、
第２の家屋に導入されている第２ホームセキュリティシステムと、
前記第１ホームセキュリティシステムおよび前記第２ホームセキュリティシステムと管理センタとを接続するネットワークと、
を備え、
前記第１ホームセキュリティシステムは、
メッセージを入力するメッセージ入力手段と、
前記メッセージ入力手段により入力したメッセージを前記ネットワーク経由で前記第２ホームセキュリティシステムに送信する手段と、
を備え、
前記第２ホームセキュリティシステムは、
前記第１ホームセキュリティシステムより送信されたメッセージを受信する手段と、
受信したメッセージを出力するメッセージ出力手段と、
を備えることを特徴とするホームセキュリティシステムを利用したコミュニケーションシステム。
【請求項２】
請求項１に記載のホームセキュリティシステムを利用したコミュニケーションシステムにおいて、
前記メッセージ入力手段は、
音声入力手段、
を含み、
前記メッセージ出力手段は、
前記音声入力手段により入力された音声を出力する手段、
を含むことを特徴とするホームセキュリティシステムを利用したコミュニケーションシステム。
【請求項３】
請求項２に記載のホームセキュリティシステムを利用したコミュニケーションシステムにおいて、
前記音声入力手段は、
前記第１の家屋への訪問者が音声を入力するインターホン、
を含み、
前記第２の家屋の前記音声出力手段からは前記第１の家屋への訪問者の音声が出力され、
前記第２ホームセキュリティシステムは、さらに、
音声を入力する代理音声入力手段と、
前記代理音声入力手段により入力した音声を前記ネットワーク経由で前記第１ホームセキュリティシステムに送信する手段と、
を備え、
前記第１ホームセキュリティシステムは、さらに、
前記代理音声入力手段より入力された音声を前記インターホンから出力する手段、
を備えることを特徴とするホームセキュリティシステムを利用したコミュニケーションシステム。
【請求項４】
請求項１に記載のホームセキュリティシステムを利用したコミュニケーションシステムにおいて、
前記メッセージ入力手段は、
文字メッセージ入力手段、
を含み、
前記メッセージ出力手段は、
前記メッセージ入力手段により入力された文字メッセージを表示する手段、
を含むことを特徴とするホームセキュリティシステムを利用したコミュニケーションシステム。
【請求項５】
請求項４記載のホームセキュリティシステムを利用したコミュニケーションシステムにおいて、
前記第２ホームセキュリティシステムは、さらに、
前記第１ホームセキュリティシステムより送信された文字メッセージに対する確認メッセージを入力する手段と、
前記確認メッセージを前記ネットワーク経由で前記第１ホームセキュリティシステムに返送する手段と、
を備えることを特徴とするホームセキュリティシステムを利用したコミュニケーションシステム。
【請求項６】
請求項１ないし請求項５のいずれかに記載のホームセキュリティシステムを利用したコミュニケーションシステムにおいて、
前記第１ホームセキュリティシステムは、さらに、
前記メッセージの送信に先立って呼び出し通知を送信する手段、
を備え、
前記第２ホームセキュリティシステムは、さらに、
前記第１ホームセキュリティシステムより送信された呼び出し通知を出力する手段と、
呼び出し通知に対して認証情報の入力を要求する認証情報入力手段と、
を備え、
前記第１ホームセキュリティシステムは、入力された認証情報の認証に成功した場合のみメッセージを送信することを特徴とするホームセキュリティシステムを利用したコミュニケーションシステム。
【請求項７】
第１の家屋に導入されている第１ホームセキュリティシステムと、
第２の家屋から第Ｎの家屋までそれぞれに導入されている第１から第Ｎのホームセキュリティシステムと、
前記第１から第Ｎのホームセキュリティシステムと管理センタとを接続するネットワークと、
を備え、
前記第１ホームセキュリティシステムは、
メッセージを入力するメッセージ入力手段と、
前記メッセージ入力手段により入力したメッセージを前記ネットワーク経由で前記第２から第Ｎまでのホームセキュリティシステムに一斉送信する手段と、
を備え、
前記第２から第Ｎまでのホームセキュリティシステムは、
前記第１ホームセキュリティシステムより送信されたメッセージを受信する手段と、
受信したメッセージを出力するメッセージ出力手段と、
を備えることを特徴とするホームセキュリティシステムを利用したコミュニケーションシステム。
【請求項８】
請求項７に記載のホームセキュリティシステムを利用したコミュニケーションシステムにおいて、
前記メッセージ入力手段は、
音声入力手段、
を含み、
前記メッセージ出力手段は、
前記音声入力手段により入力された音声を出力する手段、
を含むことを特徴とするホームセキュリティシステムを利用したコミュニケーションシステム。
【請求項９】
請求項７に記載のホームセキュリティシステムを利用したコミュニケーションシステムにおいて、
前記メッセージ入力手段は、
文字メッセージ入力手段、
を含み、
前記メッセージ出力手段は、
前記文字メッセージ入力手段により入力された文字メッセージを表示する手段、
を含むことを特徴とするホームセキュリティシステムを利用したコミュニケーションシステム。
【発明の詳細な説明】
【技術分野】
【０００１】
本発明は、各家屋に導入されているホームセキュリティシステムおよびホームセキュリティシステムと管理センタとを接続するネットワークを有効に利用する技術に関する。
【背景技術】
【０００２】
昨今、一般家屋に対するホームセキュリティシステムの導入が進んでいる。各家屋に設置されているホームセキュリティシステムは、セキュリティ会社の管理センタとネットワークで接続されている。ホームセキュリティシステムは、家屋に侵入者がいることを検知したり、火災などの異常状態が発生していることを検知したりすると、ネットワーク経由で管理センタに異常通知を行うのである。セキュリティ会社は異常通知を受けると、警備員の配備などを行う。
【０００３】
【特許文献１】実用新案登録第３１０５３３１号公報
【発明の開示】
【発明が解決しようとする課題】
【０００４】
上述したように、ホームセキュリティシステムと管理センタとを接続するネットワークは各家屋のセキュリティを維持することに貢献している。しかし、それらネットワークは、個々のホームセキュリティシステムと管理センタとの間で情報交換を行うに留まっている。今後、各家屋に対するホームセキュリティシステムの導入が進むことを想定すると、各ホームセキュリティシステムと管理センタとを結ぶネットワーク網が拡大することとなり、このネットワーク網を利用すれば、さらに付加価値の高いサービスを提供できることが期待される。
【０００５】
上記特許文献１は、ホームセキュリティシステムと防災行政無線システムとを連携させたシステムに関するものである。ホームセキュリティシステムは、異常を検知するとセンターシステムに異常通知を行う。そして、センターシステムにおいて音声通報メッセージを作成し、その音声を防災行政無線システムを利用して周辺地域に放送するようにしている。このように、ホームセキュリティシステムと管理センタとを接続するネットワークを利用して、別のセキュリティサービスを提供する技術が提案されている。
【０００６】
本発明は、各家屋に個別に導入されているホームセキュリティシステムと、各ホームセキュリティシステムと管理センタとを接続するネットワークを有効に利用する技術を提供することを目的とする。
【課題を解決するための手段】
【０００７】
上記課題を解決するため、請求項１記載の発明は、第１の家屋に導入されている第１ホームセキュリティシステムと、第２の家屋に導入されている第２ホームセキュリティシステムと、前記第１ホームセキュリティシステムおよび前記第２ホームセキュリティシステムと管理センタとを接続するネットワークと、を備え、前記第１ホームセキュリティシステムは、メッセージを入力するメッセージ入力手段と、前記メッセージ入力手段により入力したメッセージを前記ネットワーク経由で前記第２ホームセキュリティシステムに送信する手段と、を備え、前記第２ホームセキュリティシステムは、前記第１ホームセキュリティシステムより送信されたメッセージを受信する手段と、受信したメッセージを出力するメッセージ出力手段と、を備えることを特徴とする。
【０００８】
請求項２記載の発明は、請求項１に記載のホームセキュリティシステムを利用したコミュニケーションシステムにおいて、前記メッセージ入力手段は、音声入力手段、を含み、前記メッセージ出力手段は、前記音声入力手段により入力された音声を出力する手段、
を含むことを特徴とする。
【０００９】
請求項３記載の発明は、請求項２に記載のホームセキュリティシステムを利用したコミュニケーションシステムにおいて、前記音声入力手段は、前記第１の家屋への訪問者が音声を入力するインターホン、を含み、前記第２の家屋の前記音声出力手段からは前記第１の家屋への訪問者の音声が出力され、前記第２ホームセキュリティシステムは、さらに、音声を入力する代理音声入力手段と、前記代理音声入力手段により入力した音声を前記ネットワーク経由で前記第１ホームセキュリティシステムに送信する手段と、を備え、前記第１ホームセキュリティシステムは、さらに、前記代理音声入力手段より入力された音声を前記インターホンから出力する手段、を備えることを特徴とする。
【００１０】
請求項４記載の発明は、請求項１に記載のホームセキュリティシステムを利用したコミュニケーションシステムにおいて、前記メッセージ入力手段は、文字メッセージ入力手段、を含み、前記メッセージ出力手段は、前記メッセージ入力手段により入力された文字メッセージを表示する手段、を含むことを特徴とする。
【００１１】
請求項５記載の発明は、請求項４記載のホームセキュリティシステムを利用したコミュニケーションシステムにおいて、前記第２ホームセキュリティシステムは、さらに、前記第１ホームセキュリティシステムより送信された文字メッセージに対する確認メッセージを入力する手段と、前記確認メッセージを前記ネットワーク経由で前記第１ホームセキュリティシステムに返送する手段と、を備えることを特徴とする。
【００１２】
請求項６記載の発明は、請求項１ないし請求項５のいずれかに記載のホームセキュリティシステムを利用したコミュニケーションシステムにおいて、前記第１ホームセキュリティシステムは、さらに、前記メッセージの送信に先立って呼び出し通知を送信する手段、を備え、前記第２ホームセキュリティシステムは、さらに、前記第１ホームセキュリティシステムより送信された呼び出し通知を出力する手段と、呼び出し通知に対して認証情報の入力を要求する認証情報入力手段と、を備え、前記第１ホームセキュリティシステムは、入力された認証情報の認証に成功した場合のみメッセージを送信することを特徴とする。
【００１３】
請求項７記載の発明は、第１の家屋に導入されている第１ホームセキュリティシステムと、第２の家屋から第Ｎの家屋までそれぞれに導入されている第１から第Ｎのホームセキュリティシステムと、前記第１から第Ｎのホームセキュリティシステムと管理センタとを接続するネットワークと、を備え、前記第１ホームセキュリティシステムは、メッセージを入力するメッセージ入力手段と、前記メッセージ入力手段により入力したメッセージを前記ネットワーク経由で前記第２から第Ｎまでのホームセキュリティシステムに一斉送信する手段と、を備え、前記第２から第Ｎまでのホームセキュリティシステムは、前記第１ホームセキュリティシステムより送信されたメッセージを受信する手段と、受信したメッセージを出力するメッセージ出力手段と、を備えることを特徴とする。
【００１４】
請求項８記載の発明は、請求項７に記載のホームセキュリティシステムを利用したコミュニケーションシステムにおいて、前記メッセージ入力手段は、音声入力手段、を含み、前記メッセージ出力手段は、前記音声入力手段により入力された音声を出力する手段、
を含むことを特徴とする。
【００１５】
請求項９記載の発明は、請求項７に記載のホームセキュリティシステムを利用したコミュニケーションシステムにおいて、前記メッセージ入力手段は、文字メッセージ入力手段、を含み、前記メッセージ出力手段は、前記文字メッセージ入力手段により入力された文字メッセージを表示する手段、を含むことを特徴とする。
【発明の効果】
【００１６】
本発明のホームセキュリティシステムを利用したコミュニケーションシステムは、第１ホームセキュリティシステムおよび第２ホームセキュリティシステムと管理センタとを接続するネットワークを利用し、第１ホームセキュリティシステムから入力されたメッセージを第２ホームセキュリティシステムに送信する。これにより、ホームセキュリティシステムが導入されている家屋間でメッセージの交換を行うことが可能である。
【００１７】
また、メッセージとして音声メッセージの交換を行うので、電話通話に加えてホームセキュリティシステムを利用した音声通話が可能となる。
【００１８】
また、インターホンから入力した音声についても、ホームセキュリティシステムを利用して他のシステムに転送する。そして、他のシステムにおいてインターホンからの読み出しに代理応答する。たとえば、訪問者に対して不在状態を知られないようにすることが可能である。
【００１９】
また、メッセージとして文字メッセージの交換を行うので、ホームセキュリティシステムを利用して隣近所で電子メールのようなメッセージ交換を行うことが可能である。
【００２０】
さらに、文字メッセージに対する確認メッセージを返送することが可能であり、文字メッセージが相手に伝わったことを送信者は認識することができる。
【００２１】
さらに、メッセージの送信に先立って呼び出し通知を送信し、認証に成功した場合のみメッセージを送信する。これにより、特定の人物にのみメッセージを送信することが可能である。
【発明を実施するための最良の形態】
【００２２】
以下、図面を参照しつつ本発明の実施の形態について説明する。図１は、本実施の形態に係るコミュニケーションシステムの全体図である。ここでは、Ａ家、Ｂ家、Ｃ家の家屋１０Ａ,１０Ｂ,１０Ｃにそれぞれホームセキュリティシステム２０Ａ,２０Ｂ,２０Ｃが導入されている場合を例に説明する。
【００２３】
ホームセキュリティシステム２０Ａ,２０Ｂ,２０Ｃは、それぞれ各家屋１０Ａ,１０Ｂ,１０Ｃにおける侵入者を検知したり、火災やガス漏れなどを検知したりすることで各家屋のセキュリティの維持を確保するものである。そして、ホームセキュリティシステム２０Ａ,２０Ｂ,２０Ｃは、ネットワーク５を介して管理センタ３１に接続されている。管理センタ３１は、セキュリティ会社３０によって運営されているセンタである。
【００２４】
各ホームセキュリティシステム２０Ａ,２０Ｂ,２０Ｃは、異常状態を検知すると、ネットワーク５経由で管理センタ３１に通報を行う。セキュリティ会社３０は、管理センタ３１に届けられた通報を確認し、異常状態に応じた対応を行う。たとえば、異常が発生した家屋に対して警備員を手配するのである。このように、ホームセキュリティシステム２０Ａ,２０Ｂ,２０Ｃと管理センタ３１とはネットワーク５で接続されることで、異常通報が迅速に行われ、被害を未然に食い止めることや被害を最小限に抑えることに貢献している。
【００２５】
図２は、各家屋１０に導入されているホームセキュリティシステム２０のブロック図である。なお、各家屋１０Ａ,１０Ｂ,１０Ｃに導入されているホームセキュリティシステム２０Ａ,２０Ｂ,２０Ｃについて共通の説明を行う場合には、図２のように家屋１０に導入されたホームセキュリティシステム２０として説明する。
【００２６】
家屋１０は、図に示すように、３つの部屋１１,１２,１３に間取りされている。そして、部屋１１には、メインコントローラ２１が取り付けられ、部屋１２,１３には、サブコントローラ２２,２２が取り付けられている。たとえば、部屋１１はリビングであり、このホームセキュリティシステム２０を全体制御するためのメインコントローラ２１が取り付けられている。また、たとえば部屋１２、１３は、寝室、子供部屋などであり、メインコントローラ２１とネットワーク２３を介して接続されたサブコントローラ２２が取り付けられている。
【００２７】
メインコントローラ２１は、表示部２１１、操作部２１２、マイク２１３、スピーカ２１４、通信部２１５を備えている。同様に、サブコントローラ２２は、表示部２２１、操作部２２２、マイク２２３、スピーカ２２４、通信部２２５を備えている。
【００２８】
表示部２１１,２２１には、ホームセキュリティシステム２０の各種の設定を行うための操作メニューが表示される。また、家屋１０の玄関に取り付けられたカメラ付インターホン２６から送られてきた映像を表示したり、家屋１０の外壁等に取り付けられた監視カメラ２７から送られてきた映像を表示したりする。また、後で詳しく説明するが、本発明の特徴でもあるメッセージ交換が行われた場合に、メッセージの表示用にも用いられる。
【００２９】
操作部２１２,２２２は、ホームセキュリティシステム２０の各種の設定を行うために用いられる。住人は、表示部２１１,２２１に表示された操作メニューを参照しながら、操作部２１２,２２２を操作して、セキュリティシステムに対する各種の設定操作を行うのである。ホームセキュリティシステム２０は、たとえば、在宅モード、就寝モード、外出モードなどのセキュリティレベルを設定することが可能であり、住人は操作部２１２,２２２を操作してこれらの設定を行う。あるいは、各種のセンサに対して個別にセキュリティレベルを設定することも可能である。また、後で詳しく説明するが、本発明の特徴でもあるメッセージ交換を行う場合に、メッセージの入力用に用いられる。
【００３０】
なお、表示部２１１,２２１と操作部２１２,２２２とを、タッチパネル式ディスプレイで構成すると利便性がよい。
【００３１】
マイク２１３,２２３およびスピーカ２１４,２２４は、各部屋間のコミュニケーション用に用いられる。つまり、部屋１１，１２，１３にいる住人は、それぞれのコントローラが備えるマイクとスピーカを利用して内線通話を行うことが可能である。また、マイク２１３,２２３およびスピーカ２１４,２２４は、インターホン２６の前にいる来訪者との通話用に用いられる。さらに、後で説明するが、本発明の特徴である家屋間でのコミュニケーション用に用いられる。
【００３２】
通信部２１５,２２５は、メインコントローラ２１とサブコントローラ２２との間でネットワーク２３を介したデータの送受信を行う。また、メインコントローラ２１の通信部２１５は、ネットワーク５を介して管理センタ３１との通信を行う。そして、各家屋１０のメインコントローラ２１が管理センタ３１との通信を行うことが可能となっているので、各家屋１０のメインコントローラ２１は、他の家屋１０のメインコントローラ２１と通信可能となっている。
【００３３】
また、メインコントローラ２１やサブコントローラ２２には、各種のセンサ２５が接続されている。センサ２５は、ドア開閉センサ、窓開閉センサ、火災検知センサ、ガス漏れ検知センサ、人体検知センサなどである。メインコントローラ２１やサブコントローラ２２は、センサ２５から検知情報を取得し、異常状態が発生していると判断すると、スピーカ２１４、２２４を利用して家屋１０内に警報を発するとともに、ネットワーク５経由で管理センタ３１に異常通報を行うのである。
【００３４】
以上のような構成のホームセキュリティシステム２０を利用したコミュニケーションシステムについて説明する。第１に、本実施の形態においては、各ホームセキュリティシステム２０内で内線通話用に用いられているマイク２１３,２２３やスピーカ２１４,２２４を利用して、家屋間で音声通話を行う。ある家屋１０のマイク２１３あるいはマイク２２３を利用して住人が音声を発すると、その音声がネットワーク５経由で他の家屋１０に送信されるのである。そして、他の家屋１０のスピーカ２１４、２２４からその音声が再生されるのである。つまり、電話通話に加えてホームセキュリティシステム２０およびネットワーク５を利用した音声通話が可能となるのである。
【００３５】
どの家屋１０に音声を送信するのか、どの家屋１０のどのコントローラに音声を送信するかなどについては、メインコントローラ２１あるいはサブコントローラ２２を操作して設定可能とすればよい。たとえば、図１で示した例であれば、近所のＡ家、Ｂ家、Ｃ家は、予めそれぞれの家を通話先として宛先リストに登録しておくのである。そして、音声通話を行う前に、操作部２１２，２２２を操作して宛先リストから通話先を指定するようにすればよい。このとき、通話先としてメインコントローラ２１を指定する以外に、各部屋に設置されたサブコントローラ２２を直接指定できるようにしておけばよい。あるいは、図３に示すように、一斉送話を行っても良い。
【００３６】
図３では、Ａ家の住人Ｘがサブコントローラ２２のマイク２２３に向かって音声を発し、一斉送話を行っている例を示す図である。住人Ｘが発した音声は、サブコントローラ２２のマイク２２３から入力され、通信部２２５から家屋１０Ａ内のもう１つのサブコントローラ２２に送信される。そして、家屋１０Ａの住人Ｙは住人Ｘと通話を行うことができる。これは内線通話と同様である。
【００３７】
さらに、住人Ｘが発した音声は、家屋１０Ａのメインコントローラ２１に転送され、メインコントローラ２１よりネットワーク５を経由して他の家屋１０Ｂ,１０Ｃに送信されるのである。家屋１０Ｂ,１０Ｃでは、それぞれのメインコントローラ２１が住人Ｘの音声を受信すると、さらに、家屋１０Ｂ,１０Ｃ内のサブコントローラ２２に音声を転送する。これにより、家屋１０Ｂ,１０Ｃ内のサブコントローラ２２において住人Ｘの音声が再生され、家屋１０Ｂの住人Ｍ，Ｎ、家屋１０Ｃの住人Ｐ，Ｑは住人Ｘと通話ができるのである。もちろん、家屋１０Ｂ，１０Ｃのメインコントローラ２１においても、住人Ｘから送信された音声を出力するようにしてもよい。図で示した例であれば、町内の集会が１０時に開催されることになったので、Ａ家の住人Ｘがサブコントローラ２２を利用して、「１０時に集合です。」というメッセージを、Ｂ家やＣ家に送信している様子を示している。各家屋に電話を掛ける手間を省き、登録された隣近所に一斉にメッセージを送ることができるので、非常に利便性がよい。
【００３８】
このように、音声を複数の家屋１０あるいは複数のコントローラ２１，２２に一斉に送信する場合、音声の発信者は、コントローラで送信先の家屋１０やコントローラ２１，２２を個別に設定してもよいが、予め送信先のグループを登録しておくと利便性がよい。たとえば、親しい近所のグループを登録しておき、マイク２１３,２２３に対して声を出す前に、操作部２１２、２２２を操作して送信先グループを選択するようにすれば利便性がよい。
【００３９】
第２に、本実施の形態においては、各メインコントローラ２１やサブコントローラ２２が備えている表示部２１１、２２１と操作部２１２、２２２を利用して、家屋間で文字メッセージの交換を行う。ある家屋１０の操作部２１２あるいは操作部２２２を利用して住人が文字メッセージを入力すると、その文字メッセージがネットワーク２３を介して同じ家屋１０内の他のメインコントローラ２１やサブコントローラ２２に送信されるとともに、ネットワーク５経由で他の家屋１０に送信されるのである。そして、文字メッセージを受信した各メインコントローラ２１やサブコントローラ２２は、表示部２１１,２２１に文字メッセージを表示するのである。これにより、家屋内のコントローラ間で、あるいは、他の家屋との間でホームセキュリティシステム２０を利用した文字メッセージの交換を行うことが可能である。
【００４０】
どの家屋１０に文字メッセージを送信するのか、どの家屋１０のどのコントローラに文字メッセージを送信するかなどについては、メインコントローラ２１あるいはサブコントローラ２２を操作して設定可能とすればよい。音声通話の場合と同様、文字メッセージの送信先としてメインコントローラ２１を指定する以外に、各部屋に設置されたサブコントローラ２２を直接指定できるようにしておけばよい。あるいは、図４に示すように、文字メッセージの一斉送信を行っても良い。
【００４１】
図４では、Ａ家の住人Ｘがサブコントローラ２２の操作部２２２を操作して文字メッセージを入力し、一斉送信を行っている例を示す図である。住人Ｘが入力した文字メッセージは、サブコントローラ２２の操作部２２２から入力され、通信部２２５から家屋１０Ａ内のもう１つのサブコントローラ２２に送信される。このコントローラ２２は、受信した文字メッセージを表示部２２１に表示するのである。これにより、家屋１０Ａの住人Ｙは住人Ｘから送信された文字メッセージを読むことができる。つまり、同じ家屋内で、電子メールのようなメッセージ交換をホームセキュリティシステム２０のコントローラを利用して行うことができるのである。
【００４２】
さらに、住人Ｘが入力した文字メッセージは、家屋１０Ａのメインコントローラ２１に転送され、メインコントローラ２１よりネットワーク５経由で他の家屋１０Ｂ,１０Ｃに送信されるのである。家屋１０Ｂ,１０Ｃでは、それぞれのメインコントローラ２１が住人Ｘにより入力された文字メッセージを受信すると、さらに、家屋１０Ｂ,１０Ｃ内のサブコントローラ２２に文字メッセージを転送する。これにより、家屋１０Ｂ,１０Ｃ内のサブコントローラ２２の表示部２２１において住人Ｘが入力した文字メッセージが表示され、家屋１０Ｂの住人Ｍ，Ｎ、家屋１０Ｃの住人Ｐ，Ｑは住人Ｘからの文字メッセージを読むことができるのである。もちろん、家屋１０Ｂ，１０Ｃのメインコントローラ２１において、住人Ｘからの文字メッセージを表示させてもよい。
【００４３】
音声の場合と同様、文字メッセージを複数の家屋１０あるいは複数のコントローラ２１，２２に一斉送信する場合、文字メッセージの発信者は、コントローラで送信先の家屋１０やコントローラ２１，２２を個別に設定してもよいが、予め送信先のグループを登録しておくと利便性がよい。たとえば、町内の近所のグループを登録しておけば、文字メッセージ交換を町内の回覧板として利用することもできる。
【００４４】
文字メッセージの場合、送信した住人は、相手が文字メッセージを確認したかどうかが分からない。そこで、本実施の形態においては、文字メッセージを受信した住人が確認メッセージを送信できるようにしている。図４では、Ｃ家の住人Ｑが住人Ｘから送信された文字メッセージを見て、確認メッセージを送信している場合を示している。たとえば、サブコントローラ２２は、文字メッセージを受信して表示部２２１に表示させるとともに、表示部２２１に確認ボタンも合わせて表示させるようにすればよい。これにより、住人Ｑは、表示部２２１を参照して住人Ｘからの文字メッセージを読み、そのまま画面に触れて確認操作を行うことができる（ここでは、タッチパネル式ディスプレイである場合を例に説明しているが、確認ボタンなどを別途設けてもよい。）。
【００４５】
住人Ｑにより確認ボタンが選択されると、サブコントローラ２２は、送信元のサブコントローラ２２（つまり、住人Ｘが操作しているサブコントローラ２２）に対して確認メッセージを送信するのである。送信元のサブコントローラ２２は、確認メッセージを表示部２２１に表示する。このようにして、文字メッセージが相手に読まれたことを確認することができる。ここでは、サブコントローラ２２を操作して確認メッセージを送受信する場合を例に説明したが、メインコントローラ２１についても同様である。
【００４６】
たとえば、図４で示した例であれば、予定していた町内の運動会が雨のために中止になり、Ａ家の住人Ｘがサブコントローラ２２を操作して「雨のため中止です。」という文字メッセージを入力している。また、住人Ｘは、一斉送信の宛先として、Ａ家、Ｂ家、Ｃ家の全てのサブコントローラ２２を指定している。これにより、Ａ家、Ｂ家、Ｃ家の各サブコントローラ２２の表示部２２１は、「雨のため中止です。」というメッセージを表示しているのである。そして、Ｃ家の住人Ｑは、このメッセージを参照して確認ボタンを選択する操作を行うと、送信元である住人Ｘが操作しているサブコントローラ２２に確認メッセージが返送されるのである。そして、住人Ｘが操作しているサブコントローラ２２の表示部２２１には、たとえば、「Ｑさんから確認メッセージが届きました。」といったメッセージが表示されるのである。
【００４７】
ここでは、文字メッセージに対して確認メッセージを送信する場合を説明したが、音声のメッセージに対しても確認メッセージを送信できるようにしてもよい。たとえば、音声を受信して再生しているコントローラ２１，２２は、表示部２１１，２２１に確認ボタンを表示させるのである（タッチパネル式ディスプレイである場合を例にしている。）。これにより、音声の一斉送信によりメッセージを通知した場合であっても、各住人からの確認メッセージを受け取ることが可能である。もちろん、文字メッセージや音声メッセージを一斉送信する場合のみならず、個別送信の場合でも確認メッセージを受け取るようにすることができる。文字メッセージの一斉送信を回覧板として利用した場合、各住人から返送された確認メッセージを回覧板に対する確認印のように扱うことができる。
【００４８】
ここまで説明した実施の形態は、音声や文字メッセージを受信したコントローラ２１，２２が、そのままメッセージを出力するようにした。しかし、特定の人物にのみメッセージを送信したい場合がある。図５は、認証を利用することで、特定の人物のみにメッセージを送信する方法を示す図である。
【００４９】
たとえば、Ａ家の住人Ｙが外出しているとする。Ａ家の住人Ｘは、住人Ｙに伝えたいメッセージがある。住人Ｘは、住人ＹがＢ家に訪問していると予想している。そこで、住人Ｘは、サブコントローラ２２を利用して、上述したようにＢ家にメッセージを一斉送信する。ただし、住人Ｘは、住人Ｙに対する指定メッセージであることを設定する。この設定は、操作部２２２を操作して行われる。つまり、住人Ｘは、メッセージの受信者を住人Ｙに指定する操作を行うのである。
【００５０】
これにより、住人Ｘによりメッセージが入力されるサブコントローラ２２は、メッセージの送信に先立ってＢ家の各サブコントローラ２２に呼び出し通知を行うのである（もちろん、Ｂ家のメインコントローラ２１に対して呼び出し通知を送信してもよい。）。Ｂ家の各サブコントローラ２２は、呼び出し通知を受けると、呼び出し通知を表示部２２１に表示させる。たとえば、表示部２２１に「ＸさんからのＹさんへのメッセージです。」といったメッセージが表示される。あるいは、スピーカ２２４により音声で同様のメッセージが再生されてもよい。
【００５１】
このメッセージが表示されると、住人Ｙは認証情報を入力する。図５の例であれば、住人Ｙは、住人Ｍの部屋に訪問していたので、住人Ｍの部屋で呼び出し通知を知る。そこで、サブコントローラ２２に認証情報を入力するのである。たとえば、操作部２２２を操作してパスワードを入力して認証を受けるようにしてもよいが、ここでは、指紋認証を行うようにしている。指紋認証を行うために、操作部２２２は、図６に示すように、指紋読取部２２６を有している。
【００５２】
操作部２２２において、指紋読取部２２６により指紋が読取られることにより（あるいはパスワードの入力操作が行われることにより）、認証情報が送信元のサブコントローラ２２（つまり、住人Ｘが操作しているサブコントローラ２２）に送られる。そして、住人Ｘが操作しているサブコントローラ２２は、受信した認証情報に基づいて認証処理を行い、認証に成功した場合に、メッセージを認証情報の送信元であるサブコントローラ２２に送信するのである。たとえば、文字メッセージであれば、予め住人Ｘにより入力されていた文字メッセージを、認証に成功した時点で送信するようにすればよい。音声メッセージである場合には、認証に成功した時点で、音声を送信可能な状態にすればよい。このような機能を実現するために、Ａ家のホームセキュリティシステム２０においては、たとえばメインコントローラ２１内のメモリに住人Ｙの認証情報を記憶している。
【００５３】
次に、代理応答について説明する。メインコントローラ２１、サブコントローラ２２は、家屋１０に取り付けられたインターホン２６と音声の送受信を行うことが可能であると説明した。つまり、コントローラ２１，２２を利用する住人とインターホン２６を操作する訪問者との間で会話を行うことが可能である。
【００５４】
ここで、訪問者が訪れた際、Ａ家の住人Ｘが外出しており、不在であるとする。訪問者が、インターホン２６の呼び出しボタンを押すと、Ａ家のメインコントローラ２１やサブコントローラ２２において呼び出し音が再生される。しかし、Ａ家の住人は不在であるため、どのコントローラも応答しない。この場合、Ａ家のメインコントローラ２１は、この呼び出し通知をＢ家のホームセキュリティシステム２０に転送するのである。これにより、Ｂ家の各コントローラ２１，２２からは呼び出し通知が再生される。
【００５５】
そして、Ｂ家の住人Ｍがサブコントローラ２２の操作部２２２を操作して、この呼び出しに応答するのである。これにより、Ａ家のインターホン２６と、住人Ｍが操作しているサブコントローラ２２との間で音声通話が可能となる。そして、住人Ｍは、Ａ家の住人に代わって訪問者の対応を行うのである。
【００５６】
ここで、Ａ家のホームセキュリティシステム２０は、不在時の転送先、つまり、インターホン２６からの呼び出し通知を転送する家屋１０を予め登録しておく。不在時の場合に、代理応答をしてもらう相手を設定するのであるから、親戚や隣近所など信頼のおける家屋を設定するようにすればよい。
【００５７】
このように、ある家屋１０の住人が不在のとき、ホームセキュリティシステム２０を利用して登録された別の家屋１０の住人が代理応答を行う。ここで、代理応答を行っている別の家屋１０の住人が、訪問者に対して、代理応答であることを告げなければ、訪問者は代理応答であることが分からない。これにより、たとえば留守宅を狙った空き巣などに対しては住人が在宅であるように思わせることも可能である。
【００５８】
また、訪問者が宅配便などの配送業者であり、代理応答しているのが隣近所の家屋１０である場合には、配送業者に対して隣の家まで荷物を持ってくるように告げることができる。これにより、不在時においても、スムーズに登録されていた近隣の家に荷物を預かってもらうことが可能である。
【図面の簡単な説明】
【００５９】
【図１】ホームセキュリティシステムと管理センタとを接続するネットワークを示す図である。
【図２】各ホームセキュリティシステムのブロック図である。
【図３】家屋間で音声メッセージを通知するシステムのイメージ図である。
【図４】家屋間で文字メッセージを通知するシステムのイメージ図である
【図５】認証を利用したメッセージ交換を行うシステムのイメージ図である。
【図６】操作部が指紋読取部を備える実施例図である。
【図７】訪問者に対して代理応答を行うシステムのイメージ図である。
【符号の説明】
【００６０】
５    ネットワーク
１０（１０Ａ，１０Ｂ，１０Ｃ）    家屋
２０（２０Ａ，２０Ｂ，２０Ｃ）    ホームセキュリティシステム
２１    メインコントローラ
２２    サブコントローラ
３０    セキュリティ会社
３１    管理センタ
【図１】
2007264912.tif 000003
【図２】
2007264912.tif 000004
【図３】
2007264912.tif 000005
【図４】
2007264912.tif 000006
【図５】
2007264912.tif 000007
【図６】
2007264912.tif 000008
【図７】
2007264912.tif 000009